(57)【要約】【課題】ユーザに負担をかけることなく、サーチを実施する状況（目的位置までの遠近等）に応じて快適な可変速サーチの設定を可能とする。【解決手段】リモコン１２からサーチ指示を受けると、例えばハードディスク４２に記録されている情報の早送り再生によるサーチ処理を実行する制御部３６を備えた情報再生装置において、サーチ処理時のサーチ条件を設定する設定処理手段３６ａを備え、前記設定処理手段３６ａは、リモコン１２からサーチ条件の設定指示を受けると、サーチ条件を設定するための設定画面をモニタ装置１４に表示するとともに、モニタ装置１４に表示された設定画面からサーチ条件が設定されると、その設定されたサーチ条件をメモリ２８に記憶し、制御部３６は、リモコン１２からサーチ指示を受けると、メモリ２８に記憶されているサーチ条件に従って早送り再生によるサーチ処理を実行する。【選択図】図１
2010113755.tif 000002
【特許請求の範囲】
【請求項１】
操作手段からサーチ指示を受けると、記録媒体に記録されている情報の早送り再生によるサーチ処理を実行するサーチ制御手段を備えた情報再生装置において、
前記サーチ処理時のサーチ条件を設定する設定処理手段と、
前記サーチ条件を設定するための設定画面を表示する表示手段と、
設定されたサーチ条件を記憶する記憶手段とを備え、
前記設定処理手段は、前記操作手段からサーチ条件の設定指示を受けると、サーチ条件を設定するための設定画面を前記表示手段に表示するとともに、前記表示手段に表示された設定画面からサーチ条件が設定されると、その設定されたサーチ条件を前記記憶手段に記憶し、
前記サーチ制御手段は、前記操作手段からサーチ指示を受けると、前記記憶手段に記憶されているサーチ条件に従って早送り再生によるサーチ処理を実行することを特徴とする情報再生装置。
【請求項２】
請求項１に記載の情報再生装置において、
前記設定処理手段は、前記操作手段からサーチ条件の設定指示を受けると、サーチ条件としてサーチ速度を高速から低速に順次切り換える切り換え回数を設定するための設定画面を前記表示手段に表示するとともに、前記表示手段に表示された設定画面から１つの切り換え回数が設定されると、その設定された切り換え回数の条件を前記記憶手段に記憶し、
前記サーチ制御手段は、前記操作手段からサーチ指示を受けると、前記記憶手段に記憶されている切り換え回数の条件に従ってサーチ速度を高速から低速に順次切り換えて早送り再生によるサーチ処理を実行することを特徴とする情報再生装置。
【請求項３】
請求項２に記載の情報再生装置において、
前記設定処理手段は、前記操作手段からサーチ条件の設定指示を受けると、サーチ条件として１回のサーチ指示によるサーチ範囲であるサーチレンジを設定するための設定画面を前記表示手段に表示するとともに、前記表示手段に表示された設定画面から１つのサーチレンジが設定されると、その設定されたサーチレンジの条件を前記記憶手段に記憶し、
前記サーチ制御手段は、前記操作手段からサーチ指示を受けると、前記記憶手段に記憶されているサーチレンジの条件に従って１回のサーチ指示によるサーチレンジを設定するとともに、その設定されたサーチレンジ内で、前記記憶手段に記憶されている切り換え回数の条件に従ってサーチ速度を高速から低速に順次切り換えて早送り再生によるサーチ処理を実行することを特徴とする情報再生装置。
【請求項４】
請求項３に記載の情報再生装置において、
前記設定処理手段は、前記操作手段からサーチ条件の設定指示を受けると、サーチ条件として前記サーチ速度の切り換え回数に対応した各切り換えポイントの位置を設定するための設定画面を前記表示手段に表示するとともに、前記表示手段に表示された設定画面から１つの切り換えポイント位置のパターンが設定されると、その設定された切り換えポイント位置の条件を前記記憶手段に記憶し、
前記サーチ制御手段は、前記操作手段からサーチ指示を受けると、前記記憶手段に記憶されているサーチレンジの条件に従って１回のサーチ指示によるサーチレンジを設定するとともに、その設定されたサーチレンジ内で、前記記憶手段に記憶されている切り換えポイント位置においてサーチ速度を高速から低速に順次切り換えて早送り再生によるサーチ処理を実行することを特徴とする情報再生装置。
【請求項５】
請求項２に記載の情報処理装置において、
前記前記表示手段には、サーチ速度の切り換え回数の設定画面に複数の切り換え回数が表示され、前記操作手段により前記設定画面に表示されている複数の切り換え回数の中から所望の回数を選択することでサーチ速度の切り換え回数が設定されることを特徴とする情報再生装置。
【請求項６】
請求項３に記載の情報処理装置において、
前記表示手段には、サーチ速度の切り換え回数の設定画面に複数の切り換え回数が表示されるとともに、サーチレンジの設定画面に複数のサーチレンジ及び／またはサーチレンジの入力窓が表示され、
前記操作手段により前記設定画面に表示されている複数の切り換え回数の中から所望の回数を選択するとともに、前記設定画面に表示されている複数のサーチレンジの中から所望のサーチレンジを選択し、またはサーチレンジの入力窓に所望のサーチレンジを数値入力することで、サーチ速度の切り換え回数とサーチレンジとが設定されることを特徴とする情報再生装置。
【請求項７】
請求項４に記載の情報処理装置において、
前記表示手段には、サーチ速度の切り換え回数の設定画面に複数の切り換え回数が表示されるとともに、サーチレンジの設定画面に複数のサーチレンジ及び／またはサーチレンジの入力窓が表示され、
前記操作手段により前記設定画面に表示されている複数の切り換え回数の中から所望の回数を選択するとともに、前記設定画面に表示されている複数のサーチレンジの中から所望のサーチレンジを選択し、またはサーチレンジの入力窓に所望のサーチレンジを数値入力することで、サーチ速度の切り換え回数とサーチレンジとが設定され、
前記表示手段には、前記設定されたサーチレンジを横軸とし、前記設定されたサーチ速度の切り換え回数に対応した切り換えポイントを前記横軸上に配置したサーチバランス設定画面が表示され、
前記操作手段により前記ポイントを前記横軸上で左右に移動させることによって、高速から低速に順次切り換える各切り換えポイント位置のパターンが設定されることを特徴とする情報再生装置。
【請求項８】
請求項４または請求項７に記載の情報再生装置において、
前記記憶手段には、１つの切り換え回数と１つのサーチレンジと１つの切り換えポイント位置のパターンとからなら一つのサーチ条件が複数記憶可能に設けられており、
前記設定処理手段は、前記操作手段からサーチ条件の選択指示を受けると、前記記憶手段に記憶されている複数のサーチ条件を前記表示手段に表示し、表示した複数のサーチ条件の中から任意の一つのサーチ条件が選択されると、その選択された一つのサーチ条件に適用フラグを付けて前記記憶手段に記憶し、
前記サーチ制御手段は、前記操作手段からサーチ指示を受けると、前記記憶手段に記憶されている適用フラグが付いているサーチ条件を用いてサーチ処理を実行することを特徴とする情報再生装置。
【発明の詳細な説明】
【技術分野】
【０００１】
本発明は、操作手段からサーチ指示を受けると、記録媒体に記録されている情報の早送り再生によるサーチ処理を実行するサーチ制御手段を備えた情報再生装置に係り、より詳細には、サーチ処理時のサーチ条件をユーザが設定可能とした情報再生装置に関する。
【背景技術】
【０００２】
ＤＶＤレコーダ、ＨＤＤレコーダ、ＨＤＤ内蔵型ＤＶＤレコーダ等の情報再生装置は、記録媒体であるＤＶＤやハードディスクに記録されている映像及び（または）音声を早送り再生する早送り再生手段を備えており、この早送り再生手段は、複数種の早送り速度にて早送り再生を行うことが可能となっている。すなわち、予め定められた基準時間（例えば１秒）に対する早送り速度に応じた時間分（例えば、１２０倍速の場合は１１９分）の映像及び（または）音声をスキップしながら、基準時間分の映像及び（または）音声の再生を繰り返すことにより、早送り再生を行うものが知られている（例えば、特許文献１参照）。
【０００３】
また、シーンスキップ手段により、現在再生している再生位置から、ファイル全体の時間を固定の比率（例えば、１／１０等）で分割し、その分割した位置のシーンにスキップすることで、様々の長さのファイルに対して均一の割合で映像及び（または）音声をスキッフさせる技術が提案されている（例えば、特許文献２参照）。また、特許文献２では、分割数を任意に設定可能とすることで、早送り速度を変えることができるようにもなっている。
【特許文献１】特開２００４−３６２７２３号公報
【特許文献２】特開２００４−１５４８５号公報
【発明の開示】
【発明が解決しようとする課題】
【０００４】
上記特許文献，２記載のものは、早送り再生処理（以下、この明細書においてサーチ処理とも言う。）において、早送り速度（すなわち、サーチ速度）は一定速度で行う構成となっている。すなわち、複数種のサーチ速度が選択可能であるものの、一つのサーチ速度を選択すると、そのサーチ速度にて最初から最後までサーチを行う構成となっている。
【０００５】
ところで、ユーザがサーチ処理を行う状況は様々であり、例えば現在の再生位置から、サーチしたい目的の位置までが比較的近い場合（例えば、再生時間で１０分程度先である場合）もあれば、録画した映画の冒頭部分を再生中に、最後のクライマックス部分の目的のシーンまでサーチ処理を行いたいというように、再生時間で１時間以上飛ばしてサーチ処理を行いたい場合もある。
【０００６】
このような場合に、例えば現在の再生位置から比較的近い目的位置までのサーチ処理に高速でのサーチ処理を行うと、あっというまに目的位置を過ぎてしまい、再び巻き戻して、今度は低速でのサーチ処理に切り換えて目的位置までサーチする、といった早送りと巻き戻しを繰り返すことになる。そのため、現在の再生位置から比較的近い目的位置までのサーチ処理を行う場合には、目低位置を過ぎてしまわないように、ユーザは事前に低速（例えば、５倍速や１０倍速等）でのサーチに設定を切り換えた後、サーチ処理を行う必要があった。しかし、最初から低速に設定したのでは、比較的近い目的位置までのサーチであるといっても、それなりの時間がかかるため、ユーザにとって必ずしも満足のいくサーチ処理とは言えなかった。
【０００７】
一方、現在の再生位置から目的位置までが離れている場合には、高速に設定してサーチ処理を行うことになる。この場合、目的位置までは比較的早くサーチ処理されるものの、目的位置近くになっても高速でのサーチ処理が続くため、目的位置、すなわち目的のシーンを過ぎてしまう可能性が高くなる。そのため、ユーザは、目的位置のかなり手前から高速でのサーチを中止し、例えば中速や低速に切り換えて、その後のサーチ処理を行うことになる。
【０００８】
このように、従来のサーチ処理では、サーチ速度が一定であるため、ユーザがサーチ処理の実施状況に応じて、サーチ速度を自身の操作によって適宜切り換えなければならず、煩わしい操作となっていた。
【０００９】
本発明はかかる点に着目して創案されたもので、その目的は、ユーザに負担をかけることなく、サーチを実施する状況（目的位置までの再生時間に基づく遠近等）に応じて快適な可変速サーチの設定を可能とした情報再生装置を提供することにある。
【課題を解決するための手段】
【００１０】
上記課題を解決するため、本発明の情報再生装置は、操作手段からサーチ指示を受けると、記録媒体に記録されている情報の早送り再生によるサーチ処理を実行するサーチ制御手段を備えた情報再生装置において、前記サーチ処理時のサーチ条件を設定する設定処理手段と、前記サーチ条件を設定するための設定画面を表示する表示手段と、設定されたサーチ条件を記憶する記憶手段とを備え、前記設定処理手段は、前記操作手段からサーチ条件の設定指示を受けると、サーチ条件を設定するための設定画面を前記表示手段に表示するとともに、前記表示手段に表示された設定画面からサーチ条件が設定されると、その設定されたサーチ条件を前記記憶手段に記憶し、前記サーチ制御手段は、前記操作手段からサーチ指示を受けると、前記記憶手段に記憶されているサーチ条件に従って早送り再生によるサーチ処理を実行することを特徴としている。
【００１１】
より具体的に説明すると、前記設定処理手段は、前記操作手段からサーチ条件の設定指示を受けると、サーチ条件としてサーチ速度を高速から低速に順次切り換える切り換え回数を設定するための設定画面を前記表示手段に表示するとともに、前記表示手段に表示された設定画面から１つの切り換え回数が設定されると、その設定された切り換え回数の条件を前記記憶手段に記憶し、前記サーチ制御手段は、前記操作手段からサーチ指示を受けると、前記記憶手段に記憶されている切り換え回数の条件に従ってサーチ速度を高速から低速に順次切り換えて早送り再生によるサーチ処理を実行する構成としている。
【００１２】
このような構成によれば、サーチ処理中にサーチ速度を高速から低速に順次切り換えていく切り換え回数をユーザが設定できるので、ユーザは、サーチ処理の実施状況に応じて最適な切り換え回数を設定することができる。
【００１３】
また、本発明によれば、上記構成に加え、前記設定処理手段は、前記操作手段からサーチ条件の設定指示を受けると、サーチ条件として１回のサーチ指示によるサーチ範囲であるサーチレンジを設定するための設定画面を前記表示手段に表示するとともに、前記表示手段に表示された設定画面から１つのサーチレンジが設定されると、その設定されたサーチレンジの条件を前記記憶手段にさらに記憶し、前記サーチ制御手段は、前記操作手段からサーチ指示を受けると、前記記憶手段に記憶されているサーチレンジの条件に従って１回のサーチ指示によるサーチレンジを設定するとともに、その設定されたサーチレンジ内で、前記記憶手段に記憶されている切り換え回数の条件に従ってサーチ速度を高速から低速に順次切り換えて早送り再生によるサーチ処理を実行する構成としている。
【００１４】
このような構成によれば、１回のサーチ指示によるサーチレンジと、そのサーチレンジ内でサーチ速度を高速から低速に順次切り換えていく切り換え回数とをユーザが設定できるので、ユーザは、サーチ処理の実施状況に応じて最適なサーチレンジと切り換え回数とを設定することができる。例えば、サーチの目的位置までが比較的近く、例えば通常再生で１０分程度先であれば、サーチレンジを例えば１２等に設定すればよい。これにより、目的位置近くではサーチ速度が低速に落ちているので、目的のシーンを通過してしまうといった状況を低減することができる。
【００１５】
また、本発明によれば、上記構成に加え、前記設定処理手段は、前記操作手段からサーチ条件の設定指示を受けると、サーチ条件として前記サーチ速度の切り換え回数に対応した各切り換えポイントの位置を設定するための設定画面を前記表示手段に表示するとともに、前記表示手段に表示された設定画面から１つの切り換えポイント位置のパターンが設定されると、その設定された切り換えポイント位置の条件を前記記憶手段にさらに記憶し、前記サーチ制御手段は、前記操作手段からサーチ指示を受けると、前記記憶手段に記憶されているサーチレンジの条件に従って１回のサーチ指示によるサーチレンジを設定するとともに、その設定されたサーチレンジ内で、前記記憶手段に記憶されている切り換えポイント位置においてサーチ速度を高速から低速に順次切り換えて早送り再生によるサーチ処理を実行する構成としている。
【００１６】
このような構成によれば、１回のサーチ指示によるサーチレンジと、そのサーチレンジ内でサーチ速度を高速から低速に順次切り換えていく切り換えポイント位置とをユーザが設定できるので、ユーザは、サーチ処理の実施状況に応じて最適なサーチレンジと切り換え回数と切り換えポイント位置とを設定することができる。例えば、サーチの目的位置までが通常再生で６０分程度先であり、その６０分先までのシーンがあまり重要でない場合には、サーチレンジを例えば６５分等に設定し、切り換え回数が３回（３段階）である場合に、最初の切り換えポイント位置をサーチ開始位置から例えば４０分程度先の位置に設定し、次の切り換えポイント位置をサーチ開始位置から例えば６０分程度先の位置に設定する。これにより、最初は高速でサーチされ、目的位置に近づくに従って低速でサーチされることになるので、目的のシーンまで素早くサーチすることができるとともに、目的のシーンを通過してしまうといった状況を低減することができる。
【００１７】
ここで、各種サーチ条件の設定は、次のようにして行うことができる。
【００１８】
すなわち、前記前記表示手段には、サーチ速度の切り換え回数の設定画面に複数の切り換え回数を表示し、前記操作手段により前記設定画面に表示されている複数の切り換え回数の中から所望の回数を選択することで、サーチ速度の切り換え回数を設定できるように構成することができる。
【００１９】
または、前記表示手段には、サーチ速度の切り換え回数の設定画面に複数の切り換え回数を表示するとともに、サーチレンジの設定画面に複数のサーチレンジ及び／またはサーチレンジの入力窓を表示し、前記操作手段により前記設定画面に表示されている複数の切り換え回数の中から所望の回数を選択するとともに、前記設定画面に表示されている複数のサーチレンジの中から所望のサーチレンジを選択し、またはサーチレンジの入力窓に所望のサーチレンジを数値入力することで、サーチ速度の切り換え回数とサーチレンジとを設定できるように構成することができる。
【００２０】
または、前記表示手段には、サーチ速度の切り換え回数の設定画面に複数の切り換え回数を表示するとともに、サーチレンジの設定画面に複数のサーチレンジ及び／またはサーチレンジの入力窓を表示し、前記操作手段により前記設定画面に表示されている複数の切り換え回数の中から所望の回数を選択するとともに、前記設定画面に表示されている複数のサーチレンジの中から所望のサーチレンジを選択し、またはサーチレンジの入力窓に所望のサーチレンジを数値入力することで、サーチ速度の切り換え回数とサーチレンジとを設定する。次に、前記表示手段には、前記設定されたサーチレンジを横軸とし、前記設定されたサーチ速度の切り換え回数に対応した切り換えポイントを前記横軸上に配置したサーチバランス設定画面を表示し、前記操作手段により前記ポイントを前記横軸上で左右に移動させることによって、高速から低速に順次切り換える各切り換えポイント位置のパターンを設定できるように構成することができる。
【００２１】
このように、本発明によれば、サーチ速度の切り換え回数やサーチレンジを設定画面から直接設定できるようになっている。さらに、設定されたサーチレンジを横軸とし、設定されたサーチ速度の切り換え回数に対応した切り換えポイントを前記横軸上に配置したサーチバランス設定画面を表示し、ユーザは、表示されたサーチバラスン設定画面のポイントを前記横軸上で左右に移動させることによって、高速から低速に順次切り換える各切り換えポイント位置のパターンを設定できるようになっている。すなわち、高速、中速、低速等の切り換えタイミングを視覚的な設定手段を用いて感覚的に設定できるので、ユーザ自身が切り換えたいと考えているタイミングをイメージ的に簡単、かつ的確に設定することができる。これにより、ユーザにとっては負担の少ない、快適な可変速サーチ機能を簡単な操作で自由に設定することができる。
【００２２】
さらに、本発明によれば、前記記憶手段には、１つの切り換え回数と１つのサーチレンジと１つの切り換えポイント位置のパターンとからなら一つのサーチ条件が複数記憶可能に設けられており、前記設定処理手段は、前記操作手段からサーチ条件の選択指示を受けると、前記記憶手段に記憶されている複数のサーチ条件を前記表示手段に表示し、表示した複数のサーチ条件の中から任意の一つのサーチ条件が選択されると、その選択された一つのサーチ条件に適用フラグを付けて前記記憶手段に記憶し、前記サーチ制御手段は、前記操作手段からサーチ指示を受けると、前記記憶手段に記憶されている適用フラグが付いているサーチ条件を用いてサーチ処理を実行する構成としてもよい。
【００２３】
このように構成することで、サーチを実施する状況（目的位置までの再生時間に基づく遠近等）に応じて最適な可変速サーチを簡単に選択して適用することができる。
【発明の効果】
【００２４】
本発明によれば、サーチ処理中にサーチ速度を高速から低速に順次切り換えていく切り換え回数をユーザが設定できるので、ユーザは、サーチ処理の実施状況に応じて最適な切り換え回数を自由に設定することができる。
【００２５】
また、本発明によれば、１回のサーチ指示によるサーチレンジと、そのサーチレンジ内でサーチ速度を高速から低速に順次切り換えていく切り換え回数とをユーザが設定できるので、ユーザは、サーチ処理の実施状況に応じて最適なサーチレンジと切り換え回数とを設定することができる。
【００２６】
また、本発明によれば、１回のサーチ指示によるサーチレンジと、そのサーチレンジ内でサーチ速度を高速から低速に順次切り換えていく切り換えポイントとをユーザが設定できるので、ユーザは、サーチ処理の実施状況に応じて最適なサーチレンジと切り換え回数と切り換えポイントとを設定することができる。
【００２７】
さらに、本発明によれば、設定されたサーチレンジを横軸とし、設定されたサーチ速度の切り換え回数に対応した切り換えポイントを横軸上に配置したサーチバランス設定画面を表示し、ユーザは、表示されたサーチバラスン設定画面のポイントを横軸上で左右に移動させることによって、高速から低速に順次切り換える各切り換えポイント位置のパターンを設定できるようになっている。すなわち、高速、中速、低速等の切り換えタイミングを視覚的な設定手段を用いて感覚的に設定できるので、ユーザ自身が切り換えたいと考えているタイミングをイメージ的に簡単、かつ的確に設定することができる。これにより、ユーザにとっては負担の少ない、快適な可変速サーチ機能を簡単な操作で自由に設定することができる。
【発明を実施するための最良の形態】
【００２８】
以下、本発明の実施の形態について、図面を参照して説明する。
【００２９】
図１は、本発明の情報再生装置をＨＤＤ内蔵型ＤＶＤレコーダ１０に適用した実施形態を示すブロック図である。ただし、本発明の情報再生装置は、ＤＶＤレコーダ（若しくは、ＤＶＤプレーヤ）やＨＤＤレコーダ等にも適用可能である。
【００３０】
図１に示すＨＤＤ内蔵型ＤＶＤレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。リモートコントローラ（以下「リモコン」と称する）１２は、ユーザが各種の指示を入力するために操作される装置であり、その指示に対応する赤外線信号を発信する。
【００３１】
ＨＤＤ内蔵型ＤＶＤレコーダ１０は、ＤＶＤ（Digital Versatile Disc）部２０と、ＨＤＤ（Hard Disk Drive）部２２と、放送局から送信される放送信号を受信する外部のアンテナ６０を接続するチューナ２４と、ＯＳＤ（On Screen Display）５０を内蔵するデコーダ２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備えている。
【００３２】
ＤＶＤ部２０は、装填された光ディスク（本実施の形態の場合ＤＶＤ）２１にユーザ所望のデジタルコンテンツの信号を記録し、その記録したデジタルコンテンツの情報を読み出す装置である。
【００３３】
ＨＤＤ部２２は、ユーザ所望のデジタルコンテンツの信号をハードディスク４２に記録し、その記録したデジタルコンテンツの信号を読み出す装置である。ここで、ＤＶＤ２１やハードディスク４２に記録される信号としては、例えばＭＰＥＧ２（Motion Picture Experts Group 2）規格に準拠する映像ファイルやＭＰ３（MPEG-1 Audio Layer3）規格に準拠する音声ファイルなどが挙げられる。
【００３４】
ＨＤＤ部２２は、ハードディスク４２が記録した番組を構成する情報のいずれかを読み出す読み出しヘッド４４と、放送信号とチャプタを表わす情報とをハードディスク４２に記録する記録ヘッド４６とを含んでいる。
【００３５】
チューナ２４は、アンテナ６０が放送局から発信されるデジタル放送信号を受信すると、制御部３６により指定されるチャンネルの放送信号（デジタルコンテンツの信号）を抽出して出力する。
【００３６】
デコーダ２６は、ＤＶＤ部２０により再生されたデジタルコンテンツの信号、ＨＤＤ部２２が内蔵するハードディスク４２から読み出されたデジタルコンテンツの信号、チューナ２４が抽出したデジタルコンテンツの信号、及び外部Ｉ／Ｆ３８を介して外部装置７０から入力されたデジタルコンテンツの信号のうちのいずれか１つの信号が制御部３６の切換制御により与えられると、与えられたそのデジタルコンテンツの信号を受け付け、復号（デコード）して、映像出力部３０と音声出力部３２とに出力する。また、デコーダ２６が内蔵するＯＳＤ５０は、制御部３６により与えられた情報に基づいて画像データを生成し、それをモニタ装置１４の画面に可視表示するために、映像出力部３０に出力する。
【００３７】
メモリ２８には、チューナ２４が受信可能な放送チャンネルが予めチャンネルスキャン（オートスキャン）して取得されて格納されている。また、メモリ２８には、制御部３６の動作プログラムも格納されている。さらに、メモリ２８には、後述するサーチ条件の情報が所定の領域に格納されている。なお、サーチ条件の情報には、サーチ条件の使用の可否を表す情報である適用フラグも含まれている。
【００３８】
映像出力部３０は、デコーダ２６が復号した映像データをモニタ装置１４が出力可能な映像信号に変換した後、その映像信号をモニタ装置１４に出力する。音声出力部３２は、デコーダ２６が復号した音声データをモニタ装置１４が出力可能な音声信号に変換した後、その音声信号をモニタ装置１４に出力する。
【００３９】
リモコン受信部３４は、リモコン１２から発信される赤外線による各種の指示信号を受信する。リモコン受信部３４は、受信した指示信号を制御部３６に伝送する。
【００４０】
制御部３６は、受け取った指示信号に基づき、メモリ２８に格納された動作プログラムに基づいてレコーダ各部の制御を行う。
【００４１】
また、制御部３６は、リモコン１２からサーチ指示を受けると、ＤＶＤ２１またはハードディスク４２に記録されている情報の早送り再生によるサーチ処理を実行するサーチ制御機能を備えており、サーチ処理時のサーチ条件を設定する設定処理手段３６ａを備えている。設定処理手段３６ａは、リモコン１２からサーチ条件の設定指示を受けると、サーチ条件を設定するための設定画面をモニタ装置１４の画面に表示するとともに、モニタ装置１４の画面に表示された設定画面からサーチ条件が設定されると、その設定されたサーチ条件をメモリ２８の所定の領域に記憶するようになっている。また、制御部３６は、リモコン１２からサーチ指示を受けると、メモリ２８の所定の領域に記憶されているサーチ条件に従って早送り再生によるサーチ処理を実行する。
【００４２】
［サーチ条件の設定の説明］
【００４３】
次に、上記構成のＨＤＤ内蔵型ＤＶＤレコーダ１０において、ユーザがサーチ条件を設定する手順について、図２〜図７に示す設定画面例を参照して説明する。
【００４４】
ユーザがリモコン１２の図示しないメニューキーを操作してモニタ装置１４にメニュー画面を表示すると、メニュー画面に「サーチ条件の設定」の項目欄が表示されるので、ユーザは、リモコン１２を操作してカーソルを「サーチ条件の設定」に移動し、図示しない決定キーを操作することで、本レコーダを、サーチ条件の設定モードに移行させる。
【００４５】
すなわち、設定処理手段３６ａは、リモコン１２からサーチ条件の設定指示を受けると、サーチ条件としてサーチ速度を高速から低速に順次切り換える切り換え回数（サーチモード）を設定するための設定画面をモニタ装置１４に表示する。
【００４６】
図２（ａ）は、サーチモードの設定画面例を示している。
【００４７】
本実施形態では、サーチモード設定画面には、３種類のサーチモードが表示されている。すなわち、切り換え回数が２回の「３段階」、４回の「５段階」、１１回の「１２段階」の３種類である。ただし、このような３種類に限定されるものではなく、「７段階」、「９段階」といったさらに多くの段階を表示するように構成してもよい。
【００４８】
ここで、ユーザが、例えばリモコン１２の図示しない左右キーを操作してカーソルを「３段階」に移動し、図示しない決定キーを操作すると、その決定された切り換え回数の条件（ここでは、「３段階」を例に挙げて以後説明する。）をメモリ２８の所定の領域に記憶する。なお、ここでは、各段階の速度はデフォルトで予め設定されているものとする。例えば、３段階の場合、高速は１００倍速、中速は２０倍速、低速は２倍速に設定されているものとする。
【００４９】
次に、設定処理手段３６ａは、サーチ条件として１回のサーチ指示によるサーチ範囲であるサーチレンジを設定するための設定画面をモニタ装置１４に表示する。
【００５０】
図２（ｂ）は、サーチレンジの設定画面例を示している。
【００５１】
本実施形態では、サーチレンジ設定画面には、その上段にサーチレンジとして予め設定されたロングとショートの２種類のサーチレンジ（通常再生の場合の再生時間に対応させたサーチ時間）が用意されており、その下段に、これ以外のサーチレンジをユーザが自由に設定できるように、サーチレンジの入力窓５１が用意されている。この例では、ロングは例えば６０分（ただし、通常再生における時再生間）に設定されており、ショートは例えば１０分（ただし、通常再生における再生時間）に設定されているものとする。
【００５２】
ここで、ユーザが、リモコン１２の図示しない左右キーを操作してカーソルを「ロング」に移動し、図示しない決定キーを操作すると、その決定されたサーチレンジ（６０分）をメモリ２８の所定の領域に記憶する。また、ユーザが、リモコン１２の図示しない左右キーを操作してカーソルを入力窓５１に移動し、リモコン１２の図示しない数字キーを操作してサーチレンジを直接数値入力（例えば、４０（分）と入力）し、決定キーを操作すると、その決定されたサーチレンジ（４０分）をメモリ２８の所定の領域に記憶する。
【００５３】
次に、設定処理手段３６ａは、サーチ条件として、先にメモリ２８に記憶したサーチ速度の切り換え回数（３段階）とサーチレンジ（ここでは、ロングの６０分を例に挙げて以後説明する。）とに対応した各切り換えポイントを設定するためのサーチバランス設定画面をモニタ装置１４に表示する。
【００５４】
図３（ａ）は、サーチバランス設定画面例を示している。
【００５５】
本実施形態では、設定されたサーチレンジ（６０分）を横軸（図３（ａ）ではベルト状となっている。）５４とし、設定されたサーチ速度の切り換え回数（３段階）に対応した２つの切り換えポイント５５，５６を横軸５４上に配置したサーチバランス設定画面となっている。このサーチバランス設定画面では、サーチ速度の切り換え回数（３段階）に対応して、高速（例えば１００倍速）の領域を赤色で表示し、中速（例えば２０倍速）の領域を緑色で表示し、低速（例えば２倍速）の領域を青色で表示している。ただし、設定されたサーチ速度の切り換え回数が例えば５段階である場合には、切り換えポイントも４つとなり、各段階も５色の色で塗り分けられることになるが、ここでは５段階や１２段階の説明は省略する。
【００５６】
なお、最初の表示段階では、高速、中速、低速のサーチバラスンもデフォルトで設定されているものとし、例えば高速（５０％）、中速（３０％）、低速（２０％）のように設定されている。
【００５７】
このサーチバランスを見たユーザが、サーチバランスを変更したい場合には、リモコン１２の左右キーを操作してカーソルを任意の切り換えポイント５５または５６の位置まで移動し、図示しない決定キーを操作する。これにより、例えば切り換えポイント５５が決定されると、次にこの状態で、リモコン１２の左右キーを操作して、切り換えポイント５５をユーザの所望する位置まで移動させる。そして、その移動位置でよければリモコン１２の決定キーを操作することにより、高速から中速への切り換えポイント５５の位置を設定することができる。同様に、リモコン１２の左右キーを操作して、切り換えポイント５６をユーザの所望する位置まで移動させる。そして、その移動位置でよければリモコン１２の決定キーを操作することにより、中速から低速への切り換えポイント５６の位置を設定することができる。
【００５８】
この例では、図３（ｂ）に示すように、切り換えポイント５５が右側に移動されて、高速でのサーチ領域が最初の５０％から例えば７０％程度まで延長して設定され、切り換えポイント５６も右側に移動されて、中速でのサーチ領域が最初の３０％から２０％程度に短縮して設定され、低速でのサーチ領域も最初の２０％から１０％程度に短縮して設定されている。
【００５９】
この後、この状態でリモコン１２の左右キーや上下キーを操作して、サーチバランス設定画面の右下に表示されている「決定」ボタン５３まで移動し、リモコン１２の決定キーを操作すると、設定処理手段３６ａは、上記で設定された各切り換えポイント５５，５６の位置に基づき、サーチバランスで設定した比率（高速：中速：低速＝７：２：１）から、各サーチ速度でのサーチ時間を算出し、その算出時間をメモリ２８の所定の領域に記憶する。すなわち、この例では、サーチ時間は、高速＝４２分、中速＝１２分、低速＝６分となる。
【００６０】
これにより、メモリ２８には、今回設定されたサーチ条件、すなわち、サーチモード（３段階）、サーチレンジ（６０分）、サーチバランス（高速＝４２分、中速＝１２分、低速＝６分）の情報が、１つのサーチ条件を示すサーチコード「００１」に対応付けて１レコードで記憶されることになる。
【００６１】
なお、上記のようなサーチ条件の設定処理を複数回行うことで、メモリ２８には、それぞれのサーチ条件の設定内容が、それぞれのサーチコードに対応付けられてメモリ２８に記憶されることになる。この場合、サーチコードは、１から順番に自動的に割り振っていけばよい。
【００６２】
図４は、このようにしてサーチ条件が設定された場合のメモリ２８の記憶内容の一例を示している。
【００６３】
すなわち、サーチコード「００１」のサーチ条件は、上記で説明したように、サーチモード（３段階）、サーチレンジ（６０分）、サーチバランス（高速＝４２分、中速＝１２分、低速＝６分）となっており、サーチコード「００２」のサーチ条件は、サーチモード（３段階）、サーチレンジ（１０分）、サーチバランス（高速＝５分、中速＝３分、低速＝２分）となっており、サーチコード「００３」のサーチ条件は、サーチモード（５段階）、サーチレンジ（１００分）、サーチバランス（高速＝４０分、中上速＝２０分、中速＝２０分、中下速＝１５分、低速＝５分）となっている。
【００６４】
また、このように複数のサーチ条件をメモリ２８に記憶させた場合には、サーチ処理時にどのサーチ条件を用いてサーチ処理を行うのかを事前に設定しておく必要がある。この設定は、次のような操作手順によって行うことができる。すなわち、リモコン１２の図示しないメニューキーを操作してモニタ装置１４にメニュー画面を表示すると、メニュー画面に「サーチ条件の選択」の項目欄が表示されるので、ユーザは、リモコン１２を操作してカーソルを「サーチ条件の選択」に移動し、図示しない決定キーを操作することで、サーチ条件の選択画面に移行することができる。
【００６５】
図５は、サーチ条件選択画面例を示している。
【００６６】
このサーチ条件選択画面例では、メモリ２８に記憶された図４に示す各サーチ条件の情報が、図３に示すサーチバランス設定画面例と同様の構成で一覧表示されている。なお、記憶されているサーチ条件の数が多くてモニタ装置１４の画面に一度に表示できない場合には、画面を上下にスクロールさせることで全てのサーチ条件を表示できるようにすればよい。
【００６７】
従って、ユーザは、リモコン１２の上下キーを操作して、この一覧表示されたサーチ条件選択画面の中から任意の一つのサーチ条件を選択し、図示しない決定キーを操作すると、その選択された一つのサーチ条件に適用フラグを付けてメモリ２８の所定の領域に記憶される。すなわち、図３に示すように、各レコードの最後には「適用フラグ」の欄が設けられており、適用されるサーチ条件が選択された場合には、そのサーチ条件の適用フラグ欄にフラグが立てられることになる。図３では「○」で示している。これにより、サーチ処理を行うときには、サーチコード「００１」のサーチ条件が適用されることになる。
【００６８】
すなわち、ユーザがリモコン１２の図示しないサーチキーを操作すると、その操作信号（サーチ指示）を受けた制御部３６は、メモリ２８に記憶されているサーチ条件の中から適用フラグが立てられているサーチコード「００１」のサーチ条件を読み出し、この条件でサーチ処理を行うことになる。すなわち、サーチの開始時点は高速（１００倍速）でサーチ処理を行い、通常再生時間で４２分に相当する時間分のサーチ処理を終了すると、次に中速（２０倍速）でのサーチ処理に移行し、通常再生時間で１２分に相当する時間分のサーチ処理を終了すると、次に低速（２倍速）でのサーチ処理に移行し、通常再生時間で６分に相当する時間分のサーチ処理を終了すると、その時点でサーチ処理を終了することになる。従って、ユーザは、このようなサーチ処理の途中において、所望のシーンが早送り再生されると、その時点でリモコン１２の図示しない例えば再生キーを操作することで、その時点から通常再生に移行することができる。すなわち、見たいシーンから通常再生を行うことが可能となるものである。
【００６９】
なお、上記実施形態では、サーチ速度は固定（デフォルト設定）として説明しているが、サーチ速度もユーザが設定できるようにしてもよい。
【００７０】
すなわち、サーチバランスを設定するときに、図６に示すようなサーチバランス設定画面を表示する。図６と図３（ａ）との違いは、図６では、高速、中速、低速の各サーチ速度をユーザが自由に設定できるように、サーチ速度の入力窓５７〜５９がさらに設けられている点である。従って、ユーザは、各切り換えポイント５５，５６を移動させてサーチバランスを設定した後（または、設定する前に）、リモコン１２の図示しない上下キーを操作してカーソルを任意の入力窓５７〜５９に移動し、リモコン１２の図示しない数字キーを操作して各段階（高速、中速、低速）でのサーチ速度を入力（例えば、高速として１２０倍速、中速として３０倍速、低速として３倍速等）と入力）し、決定キーを操作すると、その決定されたサーチ速度（高速＝１２０倍速、中速＝３０倍速、低速＝３倍速）をメモリ２８の所定の領域に記憶する。なお、このようなサーチ速度のユーザ設定は、何の制約もなく自由に設定できるというわけではなく、本発明が適用される装置の性能や仕様等によって自ずとその制限を受けることになる。つまり、本発明が適用される装置が１００倍速までしか対応していない場合には、１２０倍速を設定することはできない。
【００７１】
図７は、このようにしてサーチ速度をユーザが設定した場合のメモリ２８の記憶内容の一例を示している。すなわち、サーチモードの項目欄に、設定された段階とともに、各段階（高速、中速、低速）に対応して設定されたサーチ速度（倍速）が記憶されている。その他の記憶内容は、図３（ａ）に示した記憶内容と同じである。
【００７２】
従って、サーチコード「００１」のサーチ条件でサーチ処理を行う場合には、制御部３６は、サーチモードの項目欄に記憶されている各段階のサーチ速度でもって、高速、中速、低速のサーチ処理を行うことになる。
【００７３】
このように、本実施形態では、サーチ速度の切り換え回数やサーチレンジを設定画面から直接設定できるようになっている。さらに、設定されたサーチレンジを横軸とし、設定されたサーチ速度の切り換え回数に対応した切り換えポイントを横軸上に配置したサーチバランス設定画面を表示し、ユーザは、表示されたサーチバラスン設定画面のポイントを横軸上で左右に移動させることによって、高速から低速に順次切り換える各切り換えポイント位置のパターンを設定できるようになっている。すなわち、高速、中速、低速等の切り換えタイミングを視覚的な設定手段を用いて感覚的に設定できるので、ユーザ自身が切り換えたいと考えているタイミングをイメージ的に簡単、かつ的確に設定することができるものである。
【００７４】
本発明によれば、ユーザ自身が考える可変速サーチパターンを自由に設定することができるので、サーチ処理を実行するときに、目的のシーンがどの程度先にあるかを予測し、その予測に合った可変速サーチパターンを自ら設定した複数のサーチ条件の中から選択して適用することで、ユーザ固有の快適な可変速サーチ機能を実現することができるものである。
【図面の簡単な説明】
【００７５】
【図１】本発明の情報再生装置をハードディスク（ＨＤ）内蔵型ＤＶＤレコーダに適用した場合の電気的構成を示す機能ブロック図である。
【図２】（ａ）はサーチモードの設定画面例を示す説明図、（ｂ）はサーチレンジの設定画面例を示す説明図である。
【図３】（ａ），（ｂ）は、サーチバランスの設定画面例を示す説明図である。
【図４】メモリの記憶内容の一例を示す説明図である。
【図５】サーチ条件選択画面例を示す説明図である。
【図６】サーチバランス設定画面の他の例を示す説明図である。
【図７】メモリの記憶内容の他の例を示す説明図である。
【符号の説明】
【００７６】
１０  ＨＤＤ内蔵型ＤＶＤレコーダ
１２  リモコン
１４  モニタ装置
２０  ＤＶＤ部
２１  光ディスク（ＤＶＤ）
２２  ＨＤＤ部
２４  チューナ
２６  デコーダ
２８  メモリ
３０  映像出力部
３２  音声出力部
３４  リモコン受信部
３６  制御部
３６ａ  設定処理手段
４２  ハードディスク
４４  読み出しヘッド
４６  記録ヘッド
５０  ＯＳＤ
５１  入力窓
５３  決定ボタン
５４  横軸
５７〜５９  入力窓
６０  アンテナ
７０  外部装置
【図１】
2010113755.tif 000003
【図２】
2010113755.tif 000004
【図３】
2010113755.tif 000005
【図４】
2010113755.tif 000006
【図５】
2010113755.tif 000007
【図６】
2010113755.tif 000008
【図７】
2010113755.tif 000009